(57)【要約】バンドとフレキシブルディスプレイパネルを含むスマートウォッチであって、フレキシブルディスプレイパネルの第１端はバンドに取り付けられ、フレキシブルディスプレイパネルの第２端はフリーエンドであり、フレキシブルディスプレイパネルは、曲げ状態とフラット状態を有し、曲げ状態では、フレキシブルディスプレイパネルとバンドがともに屈曲し、フレキシブルディスプレイパネルがバンドの外側にあり且つバンドの外面と密着接触し、フラット状態では、フレキシブルディスプレイパネルの第２端がバンドの外面から離脱し、フレキシブルディスプレイパネルが展開されて同じ平面に配置される。このスマートウォッチにおいて、フレキシブルディスプレイパネルの一方の端だけがバンドに接続され、フレキシブルディスプレイパネルの他方の端はアクティブエンドであるため、フレキシブルディスプレイパネルに曲げとフラットの２つの状態を持たせる。曲げ状態では、スマートウォッチのディスプレイが小さくなり、着用し易くなる。フラット状態では、スマートウォッチのディスプレイが大きくなり、大画面の操作を楽しむことができ、ユーザの使用体験が大幅に向上される。【選択図】図６
2021523495.tif 000002
【特許請求の範囲】
【請求項１】
バント（１１）及びフレキシブルディスプレイパネル（１２）を含むスマートウォッチであって、
前記フレキシブルディスプレイパネル（１２）の第１端は、前記バンド（１１）に取り付けられ、前記フレキシブルディスプレイパネル（１２）の第２端は、フリーエンドであり、前記フレキシブルディスプレイパネル（１２）は、曲げ状態とフラット状態とを有しており、
前記曲げ状態では、前記フレキシブルディスプレイパネル（１２）は、前記バンド（１１）とともに曲げられ、前記フレキシブルディスプレイパネル（１２）は、前記バンド（１１）の外側に位置し且つ前記バンド（１１）の外面と密着接触され、
前記フラット状態では、前記フレキシブルディスプレイパネル（１２）の第２端は、前記バンド（１１）の外面から離脱し、前記フレキシブルディスプレイパネル（１２）は、展開されて同じ平面に位置することを特徴とするスマートウォッチ。
【請求項２】
前記フレキシブルディスプレイパネル（１２）は、前記バンド（１１）と同じ方向に沿って延伸することを特徴とする請求項１に記載のスマートウォッチ。
【請求項３】
前記フレキシブルディスプレイパネル（１２）は、ＯＬＥＤディスプレイであることを特徴とする請求項１に記載のスマートウォッチ。
【請求項４】
前記フレキシブルディスプレイパネル（１２）の第１端は、前記バンド（１１）の一端に取り付けられることを特徴とする請求項１に記載のスマートウォッチ。
【請求項５】
前記バンド（１１）には、第一係合部材（１１４）が設けられており、前記フレキシブルディスプレイパネル（１２）には、前記第一係合部材（１１４）に対応する第二係合部材（１２４）が設けられており、
前記第二係合部材（１２４）は、前記フレキシブルディスプレイパネル（１２）の第２端に設けられ、
前記曲げ状態では、前記第一係合部材（１１４）と前記第二係合部材（１２４）は、互いに結合されることを特徴とする請求項１に記載のスマートウォッチ。
【請求項６】
前記第一係合部材（１１４）と前記第二係合部材（１２４）は、磁気連結部品であり、前記曲げ状態では、前記フレキシブルディスプレイパネル（１２）は、前記バンド（１１）に吸着されることを特徴とする請求項５に記載のスマートウォッチ。
【請求項７】
前記第一係合部材（１１４）と前記第二係合部材（１２４）は、バックル構造であり、前記曲げ状態では、前記フレキシブルディスプレイパネル（１２）は、前記バンド（１１）にロックされることを特徴とする請求項５に記載のスマートウォッチ。
【請求項８】
前記フレキシブルディスプレイパネル（１２）は、曲げられた後に、前記フラット状態に戻る傾向があり、前記フレキシブルディスプレイパネル（１２）と前記バンド（１１）との間の結合が解除されると、前記フレキシブルディスプレイパネル（１２）は、自己の弾性作用により、前記曲げ状態から前記フラット状態に戻ることを特徴とする請求項５に記載のスマートウォッチ。
【請求項９】
前記フレキシブルディスプレイパネル（１２）と前記バンド（１１）は、取り外し可能な連結であり、前記バンド（１１）と前記フレキシブルディスプレイパネル（１２）には、信号伝送と電力供給のための接点（１１１）が設けられていることを特徴とする請求項１に記載のスマートウォッチ。
【請求項１０】
前記バンド（１１）の一端には、自分撮りカメラ（１１２）が設けられており、前記バンド（１１）の他端には、メインカメラ（１１３）が設けられていることを特徴とする請求項１に記載のスマートウォッチ。
【請求項１１】
前記フレキシブルディスプレイパネル（１２）は、第一表示領域（１２１）と第二表示領域（１２２）とを含み、
前記曲げ状態では、前記第一表示領域（１２１）のみがオンされ、前記第二表示領域（１２２）がオフされ、
前記フラット状態では、前記第一表示領域（１２１）と前記第二表示領域（１２２）は、同時にフルスクリーン表示に使用されることを特徴とする請求項１に記載のスマートウォッチ。
【請求項１２】
前記スマートウォッチは、コントローラ（１３）をさらに含み、前記コントローラ（１３）は、前記バンド（１１）内に設けられ、前記フレキシブルディスプレイパネル（１２）は、前記バンド（１１）内のコントローラ（１３）と電気的に接続されて、信号の交換を行うことを特徴とする請求項１１に記載のスマートウォッチ。
【請求項１３】
前記スマートウォッチ（１０）は、センサー（１２５）をさらに含み、前記センサー（１２５）は、前記フレキシブルディスプレイパネル（１２）が曲げ状態にある時に制御信号を生成し、前記コントローラ（１３）は、前記制御信号に基づいて前記フレキシブルディスプレイパネル（１２）の第２表示領域（１２２）をオフさせるように制御することを特徴とする請求項１２に記載のスマートウォッチ。
【請求項１４】
前記センサー（１２５）は、近接センサー、光センサーまたは圧力センサーであることを特徴とする請求項１３に記載のスマートウォッチ。
【請求項１５】
前記フレキシブルディスプレイパネル（１２）の側方は、第３表示領域（１２３）をさらに含み、前記第３表示領域（１２３）は、前記第１表示領域（１２１）と前記第２表示領域（１２２）の背面に向かって折り畳まれることができ、前記曲げ状態では、前記第３表示領域（１２３）は、前記第１表示領域（１２１）と前記第２表示領域（１２２）の背面に折り畳まれて収められ、前記フラット状態では、前記第３表示領域（１２３）も展開して、前記第１表示領域（１２１）、前記第２表示領域（１２２）及び前記第３表示領域（１２３）が同時に同一平面内に位置することを特徴とする請求項１１に記載のスマートウォッチ。
【請求項１６】
前記第一表示領域（１２１）と前記第二表示領域（１２２）の背面には、凹部（１２６）が設けられ、前記第三表示領域（１２３）は、折り畳まれた後に前記凹部（１２６）の中に嵌め込まれることを特徴とする請求項１５に記載のスマートウォッチ。
【請求項１７】
前記スマートウォッチ（１０）は、充電可能な電池（１４）を含み、前記電池（１４）は、前記バンド（１１）内に配置され、前記電池（１４）は、曲げ可能であることを特徴とする請求項１に記載のスマートウォッチ。
【請求項１８】
前記スマートウォッチ（１０）には、マイクロ発電装置（１５）が設けられ、前記マイクロ発電装置（１５）は、前記バンド（１１）内に設置され、前記マイクロ発電装置（１５）は、前記電池（１４）に接続され且つ前記電池（１４）を充電することを特徴とする請求項１７に記載のスマートウォッチ。
【発明の詳細な説明】
【技術分野】
【０００１】
関連出願への相互参照
【０００２】
本出願は、２０１９年２月１２日に出願された中国特許出願第２０１９１０１１１７８３．３号に基づいており、その優先権を主張している。上記で特定された出願の開示全体は、参照により本明細書に組み込まれる。
【０００３】
本発明は、ウェアラブルデバイス技術分野に関し、特にスマートウォッチに関するものである。
【背景技術】
【０００４】
近年、大衆の異なる需要を満たすために、電子機器の形態は徐々に多様化されている。その中で、ウェアラブルデバイスは、スマートフォンに続いて開発された科学技術の産物である。ウェアラブルデバイスは、着用し易く、いつでも使えるという特徴を持っているので、消費者の中で人気を呼んでおり、その機能も益々多様になってきました。今の段階では、メガネ、ブレスレット、ウォッチなどの様々な形態のウェアラブルデバイスがある。その中で、スマートウォッチは最も一般的なウェアラブルデバイスとして、ユーザにより革新的な体験を提供している。スマートウォッチは、一般的なウォッチが備える時間表示機能を除いて、運動データの記録、体調の検出、写真の閲覧、メールの送受信などの機能も備えている。従ってスマートウォッチは、益々人々の生活に広く使われるようになっている。
【０００５】
しかし、現在市販されているスマートウォッチなどのウェアラブルデバイスは、殆ど単一の小さなサイズのスクリーンしか持っていないため、操作範囲が小さく、実現可能な表示機能が限られている。例えば、時間や電気量などの少数の情報だけを表示する。ユーザがスマートウォッチを利用して、表示内容が多い操作、例えば、メールを送受信したり、ウェブページを閲覧したりする場合、不便を感じて、ユーザ体験が悪い。スマートウォッチの機能が益々複雑になるにつれて、効果的なヒューマンコンピュータインタラクションを実現するために、より大きな表示画面が必要となるが、既存のマイクロスクリーンのスマートウォッチは需要を満たすことができない。
【発明の概要】
【発明が解決しようとする課題】
【０００６】
本発明の目的は、既存のスマートウォッチのディスプレイが小さく、表示内容が限られ、ユーザ体験が悪いことを解決することができるスマートウォッチを提供することである。
【課題を解決するための手段】
【０００７】
上記の課題を解決するために、本発明の実施形態に係るスマートウォッチは、バント及びフレキシブルディスプレイパネルを含み、前記フレキシブルディスプレイパネルの第１端は、前記バンドに取り付けられ、前記フレキシブルディスプレイパネルの第２端は、フリーエンドであり、前記フレキシブルディスプレイパネルは、曲げ状態とフラット状態とを有しており、前記曲げ状態では、前記フレキシブルディスプレイパネルは、前記バンドとともに曲げられ、前記フレキシブルディスプレイパネルは、前記バンドの外側に位置し且つ前記バンドの外面と密着接触され、前記フラット状態では、前記フレキシブルディスプレイパネルの第２端は、前記バンドの外面から離脱し、前記フレキシブルディスプレイパネルは、展開されて同じ平面に位置する。
【０００８】
さらに、前記フレキシブルディスプレイパネルは、前記バンドと同じ方向に沿って延伸する。
【０００９】
さらに、前記フレキシブルディスプレイパネルは、ＯＬＥＤディスプレイである。
【００１０】
さらに、前記フレキシブルディスプレイパネルの第１端は、前記バンドの一端に取り付けられる。
【００１１】
さらに、前記バンドには、第一係合部材が設けられており、前記フレキシブルディスプレイパネルには、第一係合部材に対応する第二係合部材が設けられており、前記第二係合部材は、前記フレキシブルディスプレイパネルの第２端に設けられる。前記曲げ状態では、前記第一係合部材と前記第二係合部材は、互いに結合される。
【００１２】
さらに、前記第一係合部材と前記第二係合部材は、磁気連結部品であり、前記曲げ状態では、前記フレキシブルディスプレイパネルは、前記バンドに吸着される。
【００１３】
さらに、前記第一係合部材と前記第二係合部材は、バックル構造であり、前記曲げ状態では、前記フレキシブルディスプレイパネルは、前記バンドにロックされる。
【００１４】
さらに、前記フレキシブルディスプレイパネルは、曲げられた後に、前記フラット状態に戻る傾向があり、前記フレキシブルディスプレイパネルと前記バンドとの間の結合が解除されると、前記フレキシブルディスプレイパネルは、自己の弾性作用により、前記曲げ状態から前記フラット状態に戻る。
【００１５】
さらに、前記フレキシブルディスプレイパネルと前記バンドは、取り外し可能な連結であり、前記バンドと前記フレキシブルディスプレイパネルには、信号伝送と電力供給のための接点が設けられている。
【００１６】
さらに、前記バンドの一端には、自分撮りカメラが設けられており、前記バンドの他端には、メインカメラが設けられている。
【００１７】
さらに、前記フレキシブルディスプレイパネルは、第一表示領域と第二表示領域とを含み、前記曲げ状態では、前記第一表示領域のみがオンされ、前記第二表示領域がオフされ、前記フラット状態では、前記第一表示領域と前記第二表示領域が同時にフルスクリーン表示に使用される。
【００１８】
さらに、前記スマート腕時計は、コントローラをさらに含み、前記コントローラは、前記バンド内に設けられ、前記フレキシブルディスプレイパネルは、前記バンド内のコントローラと電気的に接続されて、信号の交換を行う。
【００１９】
さらに、前記スマート腕時計は、センサーをさらに含み、前記センサーは、前記フレキシブルディスプレイパネルが曲げ状態にある時に制御信号を生成し、前記コントローラは、前記制御信号に基づいて前記フレキシブルディスプレイパネルの第２表示領域をオフさせるように制御する。
【００２０】
さらに、前記センサーは、近接センサー、光センサーまたは圧力センサーである。
【００２１】
さらに、前記フレキシブルディスプレイパネルの側方は、第３表示領域をさらに含み、前記第３表示領域は、前記第１表示領域と前記第２表示領域の背面に向かって折り畳まれることができ、前記曲げ状態では、前記第３表示領域は、前記第１表示領域と前記第２表示領域の背面に折り畳まれて収められ、前記フラット状態では、前記第３表示領域も展開して、前記第１表示領域、前記第２表示領域及び前記第３表示領域が同時に同一平面内に位置する。
【００２２】
さらに、前記第一表示領域と前記第二表示領域の背面には、凹部が設けられ、前記第三表示領域は、折り畳まれた後に前記凹部の中に嵌め込まれる。
【００２３】
さらに、前記スマート腕時計は、充電可能な電池を含み、前記電池は、前記バンド内に配置され、前記電池は、曲げ可能である。
【００２４】
さらに、前記スマート腕時計には、マイクロ発電装置が設けられ、前記マイクロ発電装置は、前記バンド内に設置され、前記マイクロ発電装置は、前記電池に接続され且つ前記電池を充電する。
【発明の効果】
【００２５】
本発明の実施形態に係るスマートウォッチでは、フレキシブルディスプレイパネルの一方の端だけがバンドと接続され、フレキシブルディスプレイパネルの他方の端はアクティブエンドであり、フレキシブルディスプレイパネルに屈曲とフラットとの２つの状態を持たせることができる。曲げ状態では、スマートウォッチのディスプレイが小さくなり、着用し易くなる。フラット状態では、スマートウォッチのディスプレイが大きくなり、大画面の操作を楽しむことができ、ユーザの使用体験が大幅に向上される。
【図面の簡単な説明】
【００２６】
【図１】図１は、本発明の各実施形態に係るスマートウォッチと外部端末との無線接続を示す図である。
【００２７】
【図２】図２は、本発明の各実施形態に係るスマートウォッチのハードウェアの構造を示す図である。
【００２８】
【図３】図３は、本発明の第１実施形態に係るスマートウォッチの正面構造を示す図である。
【００２９】
【図４】図４は、図３におけるスマートウォッチの背面構造を示す図である
【００３０】
【図５】図５は、図３におけるスマートウォッチのバンドの構造を示す図である。
【００３１】
【図６】図６は、図３におけるスマートウォッチのフレキシブルディスプレイパネルが曲げ状態での着用模式図。
【００３２】
【図７】図７は、図３におけるスマートウォッチのフレキシブルディスプレイパネルが曲げ状態での断面図である。
【００３３】
【図８】図８は、図３におけるスマートウォッチのフレキシブルディスプレイパネルがフラット状態での着用模式図である。
【００３４】
【図９】図９は、図３におけるスマートウォッチのフレキシブルディスプレイパネルがフラット状態での断面図である。
【００３５】
【図１０】図１０は、本発明の第２実施形態に係るスマートウォッチの正面構造を示す図である。
【００３６】
【図１１】図１１は、図１０におけるスマートウォッチの背面構造を示す図である。
【発明を実施するための形態】
【００３７】
以下、本発明の各実施形態に係るスマートウォッチについて、図面を参照しながら説明する。後の説明では、要素を表す「モジュール」または「ユニット」などのサフィックスは、本発明の説明を容易にするためだけに使用され、それ自体は特定の意味を持たない。従って、「モジュール」と「ユニット」を混合して使用することができる。
【００３８】
図１に示すように、スマートウォッチ１００は、外部端末２００と通信してデータを送信または受信するように構成されている。外部端末２００は、様々な形態で実施することができる。例えば、外部端末２００は、携帯電話、ノートパソコン、ＰＤＡ（パーソナルデジタルアシスタント）、ＰＡＤ（タブレットパソコン）、ＰＭＰ（携帯式マルチメディアプレーヤー）、ナビゲーション装置などの携帯端末、及びデジタルテレビ、デスクトップコンピュータなどの固定端末を含むことができる。
【００３９】
図２に示すように、スマートウォッチ１００は、無線通信ユニット１１０、Ａ／Ｖ（オーディオ／ビデオ）入力ユニット１２０、ユーザ入力ユニット１３０、感知ユニット１４０、出力ユニット１５０、メモリ１６０、インターフェースユニット１７０、コントローラ１８０及び電源ユニット１９０などの部品を有する。図２には、様々な部品を有するスマートウォッチ１００が示されているが、すべての部品を実装する必要がなく、代替的により多くまたはより少ない部品を具備ことができることが理解されるべきである。
【００４０】
無線通信ユニット１１０は、通常スマートウォッチ１００と外部端末２００またはネットワークとの間で通信するための１つ又は１つ以上の通信モジュールを含む。例えば、無線通信ユニット１１０は、移動通信モジュール１１１、無線インターネットモジュール１１２、短距離通信モジュール１１３及び位置決めモジュール１１４のうちの少なくとも１つを含むことができる。
【００４１】
移動通信モジュール１１１は、無線信号を基地局、外部端末、及びサーバのうちの少なくとも１つに送信し、及び／またはそれらから無線信号を受信するためのモジュールである。このような無線信号は、音声通話信号、ビデオ通話信号、またはテキスト及び／またはマルチメディアメッセージに従って送信及び／または受信される様々なタイプのデータを含むことができる。移動通信のための技術標準または通信方法は、グローバル移動通信システム（ＧＳＭ）、コードディビジョンマルチアクセス（ＣＤＭＡ）、ＣＤＭＡ
２０００（コードディビジョンマルチアクセス２０００）、広帯域ＣＤＭＡ（ＷＣＤＭＡ）、高速ダウンリンクパケットアクセス（ＨＳＤＰＡ）、ＨＳＵＰＡ（高速アップリンクパケットアクセス）、長期進化（ＬＴＥ）、ＬＴＥ−Ａ（高度長期進化）などを含むことができる。
【００４２】
ワイヤレスインターネットモジュール１１２は、ワイヤレスインターネットアクセスをサポートするためのモジュールである。ワイヤレスインターネットアクセスの実現に適した技術は、ＷＬＡＮ（ワイヤレスＬＡＮ）、ワイヤレスフィデリティ（Ｗｉ−Ｆｉ）、Ｗｉｂｒｏ（ワイヤレスブロードバンド）、Ｗｉｍａｘ（グローバルマイクロウェーブ相互接続）、ＨＳＤＰＡ（高速ダウンリンクパケットアクセス）及びＨＳＵＰＡ（高速アップリンクパケットアクセス）などを含む。
【００４３】
短距離通信モジュール１１３は、短距離通信をサポートするためのモジュールである。短距離通信を実現するための技術は、ブルートゥース（Ｂｌｕｅｔｏｏｔｈ）、無線周波数識別（ＲＦＩＤ）、赤外線データ協会（ＩｒＤＡ）、超広帯域（ＵＷＢ）、ＺｉｇＢｅｅ、ニアフィールドコミュニケーション（ＮＦＣ）、ワイヤレスフィデリティ（Ｗｉ−Ｆｉ）、ワイヤレスＵＳＢ（ワイヤレスユニバーサルシリアルバス）などを含むことができる。
【００４４】
位置決めモジュール１１４は、スマートウォッチ１００の位置情報を取得するためのモジュールである。位置決めモジュール１１４の典型的な例は、ＧＰＳ（グローバルポジショニングシステム）である。
【００４５】
Ａ／Ｖ入力ユニット１２０は、オーディオまたはビデオ信号を受信するために使用される。Ａ／Ｖ入力ユニット１２０は、カメラ１２１及びマイク１２２を含むことができる。カメラ１２１は、写真またはビデオを撮影するために使用される。マイク１２２は、通話モード及び録音モードなどの動作モードでマイクを介して音を受信し、且つこのような音を音声データに処理することができる。 
【００４６】
ユーザ入力ユニット１３０は、ユーザが様々なタイプの情報を入力することを可能にし、且つキーボード、キー、タッチスクリーン１３１などを含み得る。特に、タッチスクリーン３１１は、表示ユニット１５１の上に重ねられてもよい。
【００４７】
感知ユニット１４０は、通常、スマートウォッチ１００の内部情報、スマートウォッチ１００の周囲環境情報、及びユーザ情報などのうちの１つまたは複数を感知するように構成される。感知ユニット１４０は、一般に１つまたは複数のセンサーを含む。例えば、近接センサー１４１を有する感知ユニット１４０が図２に示されている。近接センサー１４１は、機械的な接触なしに磁場、赤外線などにより、表面に近い物体の有無または表面の近くに位置する物体を感知するセンサーを含むことができる。また、感知ユニット１４０は、加速度センサー、磁気センサー、ジャイロセンサー、光センサー、運動センサーなどの他のタイプのセンサーを含み得る。スマートウォッチ１００は、感知ユニット１４０から得られた情報を利用することができる。例えば、コントローラ１８０は、通常、感知ユニット１４０と協力して、感知ユニット１４０のセンシング結果に基づいてスマートウォッチ１００の動作を制御する。
【００４８】
出力ユニット１５０は、通常、オーディオ、ビデオなどの様々なタイプの情報を出力するように構成される。出力ユニット１５０は、表示ユニット１５１、オーディオ出力モジュール１５２、リマインダーユニット１５３などを含み得る。表示ユニット１５１は、タッチセンサーを含む統合構造を有し得り、即ち、タッチスクリーン３１１は、表示ユニット１５１の中に統合されている。表示ユニット１５１は、スマートウォッチ１００で処理された情報を表示することができる。表示ユニット１５１は、液晶ディスプレイ（ＬＣＤ）、薄膜トランジスタＬＣＤ（ＴＦＴ−ＬＣＤ）、有機発光ダイオード（ＯＬＥＤ）ディスプレイなどのうちの少なくとも１つを含み得る。オーディオ出力モジュール１５２は、通常、オーディオデータを出力するように構成される。オーディオ出力モジュール１５２は、スピーカー、ブザーなどを含み得る。リマインダーユニット１５３は、イベントの発生を通知することができる。一般的なイベントには、着信、メッセージ受信などがある。リマインダーユニット１５３は、振動の形で出力を提供することができ、コールまたはメッセージが受信されると、リマインダーユニット１５３は、ユーザに通知するために振動することができる。
【００４９】
メモリ１６０は、コントローラ１８０によって実行されるソフトウェアプログラム、静止画像、ビデオなどを格納することができる。メモリ１６０は、フラッシュメモリ、ハードディスク、ランダムアクセスメモリ（ＲＡＭ）、静的ランダムアクセスメモリ（ＳＲＡＭ）、読み取り専用メモリ（ＲＯＭ）、電気的に消去可能なプログラム可能な読み取り専用メモリ（ＥＥＰＲＯＭ）、プログラム可能な読み取り専用メモリ（ＰＲＯＭ）、磁気ディスク及び光ディスク（ＣＤ）などを含み得る。
【００５０】
インターフェースユニット１７０は、スマートウォッチ１００に接続することができる様々なタイプの外部デバイスのインターフェースとして機能する。インターフェースユニット１７０は、外部装置から送信されたデータを受信するか、またはスマートウォッチ１００の内部データを外部装置に送信することができる。例えば、インターフェースユニット１７０は、有線または無線ポート、外部電源ポート、有線または無線データポート、メモリカードポート、識別モジュールを有するデバイスに接続するためのポート、オーディオ入力／出力（Ｉ／Ｏ）ポート、ビデオＩ／Ｏポート、及びヘッドフォンポートなどを含み得る。識別モジュールは、スマートウォッチ１００を使用する権限を検証するための様々な情報を格納するチップであり、且つユーザ識別モジュール（ＵＩＭ）、ユーザ識別モジュール（ＳＩＭ）、ユニバーサルユーザ識別モジュール（ＵＳＩＭ）などを含み得る。さらに、識別モジュールを備えたデバイスは、スマートカードの形をとることができる。
【００５１】
コントローラ１８０は、通常、移動端末の全体的な動作を制御する。例えば、コントローラ１８０は、図２に記載された様々な各種コンポーネントによって入力または出力された信号、データ、情報などを処理するか、またはメモリ１６０に格納されたアプリケーションプログラムを起動する。
【００５２】
電源ユニット１９０は、スマートウォッチ１００の中の様々なコンポーネントに必要な電力を供給する。電源ユニット１９０は、電池を含み得り、電池は充電できるように配置されている。
【００５３】
本明細書に記載の様々な実施形態は、例えば、コンピュータソフトウェア、ハードウェア、またはそれらの任意の組み合わせを使用するコンピュータ可読媒体で実施されることができる。ハードウェアの実施については、特定用途集積回路（ＡＳＩＣ）、デジタル信号プロセッサ（ＤＳＰ）、デジタル信号処理デバイス（ＤＳＰＤ）、プログラム可能なロジックデバイス（ＰＬＤ）、フィールドプログラム可能なゲートアレイ（ＦＰＧＡ）、プロセッサ、コントローラ、マイクロコントローラ、及びマイクロプロセッサの中の少なくとも１つによって実施されることができる。ソフトウェアの実施については、少なくとも１つの機能または操作の実行を許容する単独のソフトウェアモジュールによって実施されることができる。ソフトウェアコードは、任意の適切なプログラミング言語で書かれたソフトウェアアプリケーションによって実施され得る。ソフトウェアコードは、メモリ１６０に格納され、且つコントローラ１８０によって実行され得る。
【００５４】
第１実施形態
【００５５】
図３は、本発明の第１実施形態に係るスマートウォッチの正面構成を示す図である。図４は図３におけるスマートウォッチの背面構成を示す図である。図３及び図４に示すように、本発明の第１実施形態に係るスマートウォッチ１０は、図２に示したスマートウォッチ１００と同じまたは類似する特徴を有するように構成できる。
【００５６】
このスマートウォッチ１０は、バンド１１とフレキシブルディスプレイパネル１２とを含み、フレキシブルディスプレイパネル１２とバンド１１は同じ方向に沿って延び、フレキシブルディスプレイパネル１２の一端（第１の端部）はバンド１１に取り付けられ、フレキシブルディスプレイパネル１２の他端（第２端部）はフリーエンドとなっている。具体的には、フレキシブルディスプレイパネル１２の第１端部は、バンド１１の一端に取り付けられてもよい。
【００５７】
フレキシブルディスプレイパネル１２は、曲げ状態とフラット状態とを有するので、実際の必要に応じて、曲げ状態とフラット状態との間で変換されて、ユーザの使用体験を向上させることができる。
【００５８】
図６は、図３におけるスマートウォッチのフレキシブルディスプレイパネルが曲げ状態での着用模式図でありる。図７は、曲げ状態図３におけるスマートウォッチのフレキシブルディスプレイパネルが曲げ状態での断面図であり、曲げ状態図６及び７に示すように、曲げ状態では、フレキシブルディスプレイパネル１２は、バンド１１と共に屈曲されて、手首に着用される。そして、フレキシブルディスプレイパネル１２は、バンド１１の外側に配置される。また、フレキシブルディスプレイパネル１２は、バンド１１の外面に密着接触する。
【００５９】
図８は、図３におけるスマートウォッチのフレキシブルディスプレイパネルがフラット状態での着用模式図である。図９は、図３におけるスマートウォッチのフレキシブルディスプレイパネルがフラット状態での断面図である。図8及び図９に示すように、フラット状態では、フレキシブルディスプレイパネル１２の第２端部がバンド１１の外面から離脱し、且つフレキシブルディスプレイパネル１２が展開されて同じ平面に位置する。この時、フレキシブルディスプレイパネル１２は、その第１端部によって、バンド１１に連結されて支持される。
【００６０】
本実施形態では、フレキシブルディスプレイパネル１２は、バンド１１に全体的に連接されていないが、一端のみがバンド１１に連接され、且つ及びバンド１１内の回路基板（図示せず）と電気的に接続されて、信号を交換する。フレキシブルディスプレイパネル１２のもう一方の端は、可動端である。従って、フレキシブルディスプレイパネル１２は、ウォッチバンド１１に対して移動可能であり、曲げ及びフラットとの２つの状態を有する。曲げ状態では、スマートウォッチ１０のディスプレイが小さくなり、装着し易くなる。フラット状態では、スマートウォッチ１０の表示画面が大きくなり、大画面の操作体験を楽しむのに便利である。
【００６１】
具体的には、フレキシブルディスプレイパネル１２は、ＯＬＥＤ（Ｏｒｇａｎｉｃ  Ｌｉｇｈｔ−Ｅｍｉｔｔｉｎｇ  Ｄｉｏｄｅ）ディスプレイであってもよい。ＯＬＥＤディスプレイは、フレキシブルな材料に基づいて作成されてもよいので、容易に折り畳まれたり、曲げられたりすることができる。
【００６２】
バンド１１は、ユーザの手首３０に着用するために使用され、且つスマートウォッチ１０の着用を容易にするために、フレキシブルな材料で作られる。バンド１１は、具体的に革、ゴム、シリカゲル、合成樹脂などにより作られる。さらに、バンド１１の両端に固定構造を設けることができる。例えば、バンド１１の一端に係止ピンを設け、バンド１１の他端に係止ピンに対応する多数の孔を設ける。係止ピンと孔との協力により、バンド１１が手首３０に装用されていることを実現する。当然のことながら、バンド１１は、係止ピン及びと孔との組み合せに加えて、スナップ及び磁気吸引などの他の方法によって手首３０に着用されることも可能である。
【００６３】
本実施形態では、バンド１１は、伝統的な２本のバンドではなく、ワンピースの全体構造である。曲げ状態では、フレキシブルディスプレイパネル１２の第１端がバンド１１に取り付けられているので、フレキシブルディスプレイパネル１２の第２端がバンド１１と結合されてもよく、例えば、バンド１１に第１係合部材１１４を設けると共に、フレキシブルディスプレイパネル１２に第２係合部材１２４を設ける。第２係合部材係合部材１２４は、具体的にフレキシブルディスプレイパネル１２の第２端（即ち、自由端）に設けられ、第１係合部材１１４と第２係合部材１２４との結合によって、フレキシブルディスプレイパネル１２を曲げ状態でバンド１１と相対的に固定させることができる。フレキシブルディスプレイパネル１２を展開する必要がある時に、フレキシブルディスプレイパネル１２の第２端に外へ一定の力を加えてこそ、フレキシブルディスプレイパネル１２とバンド１１との間の結合を解除することができる。
【００６４】
一例では、第１係合部材１１４と第２係合部材１２４は、フレキシブルディスプレイパネル１２を曲げ状態でバンド１１に吸着させるための磁気連結部品とすることができる。他の例では、他の方法で屈曲されたフレキシブルディスプレイパネル１２をバンド１１に固定することができる。例えば、バンド１１とフレキシブルディスプレイパネル１２に、バックル構造を設け、屈曲されたフレキシブルディスプレイパネル１２をバンド１１に留める。
【００６５】
一実施形態では、フレキシブルディスプレイパネル１２は、曲げられた後に、フラット状態に戻る傾向を有し得る。フレキシブルディスプレイパネル１２とバンド１１との間の結合が解除されると、フレキシブルディスプレイパネル１２は、自己の弾性作用により、曲げ状態からフラット状態に戻り、同一の表示面にすることができる。
【００６６】
図５は、図３におけるスマートウォッチのバンドの構成を示す図である。図３ないし図５を組み合せて参照すると、フレキシブルディスプレイパネル１２とバンド１１は、取り外し可能な連結であってもよく、バンド１１とフレキシブルディスプレイパネル１２には信号伝送と電力供給のための接点１１１が設けられている。フレキシブルディスプレイパネル１２とバンド１１を置き換えることができる。ユーザが実際の必要に応じて組み合わせて使用することができ、スマートウォッチ１０を更新する必要がある場合、フレキシブルディスプレイパネル１２またはバンド１１を交換するだけでよく、ユーザの使用コストを低減することができる。そして、ユーザは、異なる使用シーン（例えば、生活と仕事）に応じて、異なるバンドを着用することを選択できる。これにより、ユーザの使用をより柔軟にし、ユーザ体験を向上させることができる。
【００６７】
さらに、バンド１１におけるスクリーンに近い一端には、自分撮りカメラ１１２が設けられており、バンド１１におけるスクリーンから離れている一端には、メインカメラ１１３が設けられている。これにより、このスマートウォッチ１０は、携帯電話と同様に、カメラ機能を備えるようになる。
【００６８】
さらに、スマートウォッチ１０は、コントローラ１３を含み得り、コントローラ１３は、バンド１１内に設置されてもよい。コントローラ１３は、スマートウォッチ１０の全体動作を制御するために使用される。フレキシブルディスプレイパネル１２は、バンド１１内のコントローラ１３と電気的に接続されて、信号の交換を行う。また、バンド１１内には、図２に示す他のコンポーネント、例えばメモリなどが設けられてもよい。実際の使用シーンでは、スマートウォッチ１０は、スマートフォン端末として使用されることができ、メモリは、ソフトウェアプログラムを記憶するために使用されることができ、コントローラ１３は、メモリ内に格納されたソフトウェアプログラムを実行することによって、様々な機能アプリケーション及びデータ処理を実行する。
【００６９】
フレキシブルディスプレイパネル１２は、バンド１１の延在方向に沿って、第１表示領域１２１と第２表示領域１２２とを備えてもよく、ユーザがスマートウォッチ１０を着用した後、フレキシブルディスプレイパネル１２を曲げると、第１表示領域１２１だけで現在の時間、天気、及びメッセージリマインダなどの情報を表示することができ、第２表示領域１２２は、消費電力を節約するためにオフされる。例えば、図６に示すように、第１表示領域１２１には時計２１が表示されている。フルスクリーン表示が必要な場合には、フレキシブルディスプレイパネル１２を平面状態に展開して、携帯電話と同じ機能を実現し、スマートウォッチ１０の表示面積を大幅に向上させ、ユーザの使用体験を向上させることができる。例えば、図8に示すように、アプリケーションのアイコン２２を第１表示領域１２１と第２表示領域１２２に同時に表示させることができる。また、フレキシブルディスプレイパネル１２の最下端には、スマートウォッチ１０の一般的な機能ボタン２３、例えば電話ダイヤルボタンなどがあり得る。
【００７０】
具体的には、スマートウォッチ１０は、フレキシブルディスプレイパネル１２が曲げ状態にある時に制御信号を生成するためのセンサー１２５をさらに含む。コントローラ１３は、前記制御信号に基づいて、フレキシブルディスプレイパネル１２の第２表示領域１２２をオフさせるように制御して、スマートウォッチ１０の消費電力を低減する。センサー１２５は、バンド１１またはフレキシブルディスプレイパネル１２に設けられてもよく、本実施形態においては、センサー１２５は、フレキシブルディスプレイパネル１２に設けられており、且つ近接センサーであってもよい。センサー１２５は、フレキシブルディスプレイパネル１２がバンド１１に向かって屈曲して接近していることを検知した時に、前記制御信号を発生させ、制御部１３に前記制御信号に基づいて第２表示領域１２２をオフにする。
【００７１】
第２表示領域１２２をオフさせるように制御するための前記制御信号を生成するために、近接センサーを除いて、センサー１２５は、光センサー、圧力センサー及びその他のセンサーであってもよい。
【００７２】
第１表示領域１２１と第２表示領域１２２は、別々の独立した表示領域として、それぞれ２つの制御回路によって制御されてもよいし、同じ表示マザーボードが一体的に切断された１つの全体として、同一の制御回路によって制御されてもよい。
【００７３】
さらに、スマートウォッチ１０は、充電可能な電池１４を含んでもよく、電池１４はバンド１１内に設置されてもよく、電池１４はバンド１１の形状に適合するように曲げられて、バンド１１内に設けられてもよい。具体的には、電池１４は、グラフェン電池であり得る。グラフェン電池は、柔軟で曲げ可能な特性を有し、時計バンド１１の湾曲した形状に適応することができる。
【００７４】
曲がった時の電池の厚さによる内外の径差は、ポリマーリチウムイオン電池の曲がりにくい根本的な原因となる。研究により、幾つかの層引いては単層構造になるように電池を薄くし、且つ薄膜の弾性を強化することによって、曲げた時の内径と外径の差を非常に小さくし、リング状に曲げることができる電池を形成することを示した。このような極薄電池の容量を確保するために、複数のセルをスタックして、その電極を引き出して並列に接続することができる。各電池間は、剛性を用いずに一定の範囲でスライドして、曲げた時の各層間の変位差を吸収することで、電池に大きな容量を持たせるとともに、電池を曲げることができる。このため、電池１４は、ポリマーリチウムイオン電池であってもよい。
【００７５】
さらに、スマートウォッチ１０には、マイクロ発電装置１５が設けられてもよい。マイクロ発電装置１５は、バンド１１内に設置されてもよい。また、マイクロ発電装置１５は、電池１４に接続されて、バンド１１内の電池１４を充電することができる。マイクロ発電装置１５は、可動磁石及び固定コイルを含む。マイクロ発電装置１５は、ウォッチが揺れている時に発電するために用いられ、電池１４に電気エネルギーを提供する。
【００７６】
本実施形態では、マイクロ発電装置１５は、具体的に磁気誘導ワイヤーカットの原理を利用して作られたマイクロ誘導発電機であり、ユーザがスマートウォッチ１０を充電したい場合、ウォッチを往復して揺り動かすことができる。この時、マイクロ誘導発電機の中の磁石は、固定子コイル内で往復し、磁石が往復して移動する過程では、磁石は固定子コイルと相互作用して、電気エネルギーを発生させる。発生した電気エネルギーは、マイクロ誘導発電機と接続された電池１４に充電されて、電気量を蓄積する。これに基づいて、ユーザがスマートウォッチを着用して正常に走行したり運動したりする時に、スマートウォッチは、揺動されて、その中の磁石を動かして固定子コイルを切断するような運動を行う。これにより、スマートウォッチに蓄電するための電気エネルギーは発生される。
【００７７】
本実施形態のスマートウォッチ１０は、フレキシブルディスプレイパネル１２が一端だけバンド１１と接続されており、フレキシブルディスプレイパネル１２の他端がアクティブである。これにより、フレキシブルディスプレイパネル１２に屈曲とフラットとの２つの状態を持たせることができる。曲げ状態では、スマートウォッチ１０のディスプレイが小さくなり、着用し易くなる。フラット状態では、スマートウォッチ１０のディスプレイが大きくなり、大画面の操作を楽しむことができ、ユーザの使用体験を大幅に向上させる。
【００７８】
第２実施形態
【００７９】
図１０は、本発明の第２実施形態に係るスマートウォッチの正面構成を示す図である。図１１は、図１０におけるスマートウォッチの背面構成を示す図である。図１０及び図１１に示すように、本発明の第２実施形態で提供されるスマートウォッチは、主として次の点で上記の第１実施形態と異なっている。第２実施形態では、フレキシブルディスプレイパネル１２の側方は、第３表示領域１２３をさらに含むことが可能である。第３表示領域１２３の表示面積は、第１表示領域１２１と第２表示領域１２２との和に略等しい。また、第３表示領域１２３は、第１表示領域１２１と第２表示領域１２２の背面に向かって折り畳まれることができる。第１表示領域１２１と第２表示領域１２２の背面には、凹部１２６が設けられる。第３表示領域１２３は、折り畳まれた後に凹部１２６の中に嵌め込むことができる。
【００８０】
本実施形態では、フレキシブルディスプレイパネル１２が曲げ状態にある場合、第３表示領域１２３は、第１表示領域１２１と第２表示領域１２２の背面に折り畳まれて収められる。また、フレキシブルディスプレイパネル１２がフラット状態にある場合、第３表示領域１２３も展開して、第１表示領域１２１、第２表示領域１２２、及び第３表示領域１２３が同時に同一平面内に位置することによって、２倍ほどの表示領域を増加させて、ユーザの使用体験をさらに向上させることができる。
【００８１】
本第２実施形態の他の構成は、上記の第１実施形態を参照してもよく、ここでは説明を省略する。
【００８２】
以上は、本発明の好ましい実施形態に過ぎず、本発明をいかなる形式で限定するものではない。本発明は、好ましい実施形態で上記のように掲載されたが、本発明を上述した実施形態に限定するものではない。本技術分野に精通した技術者としては、本発明の技術提案の範囲を逸脱することなく、上記で開示された技術内容に基づいて、若干の変更または修正を行っても良い。しかし、本発明の技術的精神を逸脱していない場合に、本発明の技術的本質に基づいて、上記の実施形態に対してなされたいかなる簡単な修正、同等の変化と修飾は、いずれも本発明の技術提案の範囲内に属する。
【図１】
2021523495.tif 000003
【図２】
2021523495.tif 000004
【図３】
2021523495.tif 000005
【図４】
2021523495.tif 000006
【図５】
2021523495.tif 000007
【図６】
2021523495.tif 000008
【図７】
2021523495.tif 000009
【図８】
2021523495.tif 000010
【図９】
2021523495.tif 000011
【図１０】
2021523495.tif 000012
【図１１】
2021523495.tif 000013
【国際調査報告】
2021523495.tif 000014
2021523495.tif 000015
2021523495.tif 000016